(57)【特許請求の範囲】
【請求項１】
ワイヤハーネスに設けられた圧着端子が挿入されるコネクタを保持するコネクタ保持具であって、
前記コネクタが通過可能な本体開口部を一方の端面である本体上面に具備し、前記コネクタを収納する本体と、
前記コネクタが通過可能なストッパー開口部と、前記本体に装着された際に、前記ストッパー開口部を形成する縁部のうちの一つである第１の縁部の側における前記本体の側面に沿って前記本体上面よりも下側に突出するように設けられたストッパー腕と、を具備し、前記本体上面に対向して配置され、前記本体上面に対して平行に移動可能なストッパーと、
前記ストッパー腕と前記側面との間に設けられ、直方体状の弾性材料で構成されたスプリング材とを有し、
前記ストッパーには、前記ストッパー開口部を形成する縁部のうちの前記第１の縁部、又は前記第１の縁部と対向する第２の縁部において、平面視における前記ストッパー開口部の中心に向かうに従って下側に向かうように傾斜したストッパー傾斜面が設けられ、
前記コネクタが前記ストッパー傾斜面から離れている際、前記ストッパー傾斜面は前記本体開口部の上方に進出して、前記ストッパー開口部と前記本体開口部との重なり範囲を前記コネクタは通過不可能で、
前記コネクタが前記ストッパー傾斜面に押し付けられて前記スプリング材が弾性変形した際、前記ストッパー傾斜面は前記本体開口部の上方から退避して、前記ストッパー開口部と前記本体開口部との重なり範囲を前記コネクタは通過可能になることを特徴とするコネクタ保持具。
【請求項２】
前記スプリング材は前記ストッパー腕と前記側面との間で挟持され、前記ストッパー傾斜面は前記第２の縁部に設けられたことを特徴とする請求項１記載のコネクタ保持具。
【請求項３】
前記スプリング材は、直方体状に形成された発泡合成樹脂であることを特徴とする請求項１又は２記載のコネクタ保持具。
【請求項４】
前記本体上面にボルトが設置され、
前記ストッパーに前記ボルトが貫通する長孔が形成され、
前記ストッパーは、前記長孔の長径方向に移動可能であることを特徴とする請求項１から請求項３までのいずれか１項に記載のコネクタ保持具。
【発明の詳細な説明】
【技術分野】
【０００１】
本発明はコネクタ保持具、特に、ワイヤハーネスの圧着端子を挿入する製造工程においてコネクタを保持するコネクタ保持具に関する。
【背景技術】
【０００２】
従来、自動車等に搭載される電装品に電力や制御信号を伝えるワイヤハーネスは、端部に設けられた圧着端子がコネクタに挿入され、コネクタを介してワイヤハーネス同士あるいはワイヤハーネスと電装品とが電気的に接続される。そして、ワイヤハーネスの製造工程（「配線ナビ」と称される場合がある）において、組み立て用の板面に配置されたコネクタ保持具にコネクタは保持され、かかる保持された状態のコネクタに圧着端子が挿入される。
このとき、圧着端子の挿入作業と共に導通検査を、作業能率を低下させることなく実施することができる発明が開示されている（例えば、特許文献１参照）。
【先行技術文献】
【特許文献】
【０００３】
【特許文献１】特開２０１３−２５４５７５号公報（第６−９頁、図６）
【発明の概要】
【発明が解決しようとする課題】
【０００４】
特許文献１に開示された発明（ワイヤハーネスの製造装置）におけるコネクタ保持具は、コネクタを保持したコネクタ保持部が、圧着端子を挿入可能にする位置と圧着端子の導通検査を可能にする位置との間を移動可能にしたものである。このため、複数の圧着端子の挿入作業を的確に実施することができると共に、導通検査に要する確認作業の効率も向上させることができるものである。
しかしながら、コネクタ保持部の上面にはスライド可能なロック機構が設けられ、ロック機構を操作して、ロック位置からロック部材を退避させることによって、コネクタ保持部にコネクタを収納可能にし、さらに、ロック位置にロック部材をスライドさせることによって、コネクタ保持部に収納されたコネクタを抜け出し不可能に保持するものである。
このため、コネクタをコネクタ保持部に収納する際、ロック機構を操作する必要があるという問題があった。すなわち、作業者は、一方の手でロック機構を操作しながら、他方の手でコネクタをコネクタ保持部に挿入しなければならないことから作業の迅速性が阻害されるため、より簡素かつ迅速な作業を可能にするコネクタ保持具が要請されている。
【０００５】
本発明は、このような要請に応えるものであり、片手の操作によって簡素かつ迅速にコネクタを保持することができるコネクタ保持具を提供することにある。
【課題を解決するための手段】
【０００６】
本発明に係るコネクタ保持具は、ワイヤハーネスに設けられた圧着端子が挿入されるコネクタを保持するコネクタ保持具であって、前記コネクタが通過可能な本体開口部を一方の端面である本体上面に具備し、前記コネクタを収納する本体と、前記コネクタが通過可能なストッパー開口部と、前記本体に装着された際に、前記ストッパー開口部を形成する縁部のうちの一つである第１の縁部の側における前記本体の側面に沿って前記本体上面よりも下側に突出するように設けられたストッパー腕と、を具備し、前記本体上面に対向して配置され、前記本体上面に対して平行に移動可能なストッパーと、前記ストッパー腕と前記側面との間に設けられ、直方体状の弾性材料で構成されたスプリング材とを有し、前記ストッパーには、前記ストッパー開口部を形成する縁部のうちの前記第１の縁部、又は前記第１の縁部と対向する第２の縁部において、平面視における前記ストッパー開口部の中心に向かうに従って下側に向かうように傾斜したストッパー傾斜面が設けられ、前記コネクタが前記ストッパー傾斜面から離れている際、前記ストッパー傾斜面は前記本体開口部の上方に進出して、前記ストッパー開口部と前記本体開口部との重なり範囲を前記コネクタは通過不可能で、前記コネクタが前記ストッパー傾斜面に押し付けられて前記スプリング材が弾性変形した際、前記ストッパー傾斜面は前記本体開口部の上方から退避して、前記ストッパー開口部と前記本体開口部との重なり範囲を前記コネクタは通過可能になることを特徴とする。
また、本発明に係るコネクタ保持具において、前記スプリング材は前記ストッパー腕と前記側面との間で挟持され、前記ストッパー傾斜面は前記第２の縁部に設けられたことを特徴とする。
【０００７】
また、本発明に係るコネクタ保持具は、前記スプリング材は、直方体状に形成された発泡合成樹脂であることを特徴とする。
【０００８】
また、本発明に係るコネクタ保持具は、前記本体上面にボルトが設置され、前記ストッパーに前記ボルトが貫通する長孔が形成され、前記ストッパーは、前記長孔の長径方向に移動可能であることを特徴とする。
【発明の効果】
【０００９】
本発明によれば、コネクタをストッパー傾斜面に押し付けるだけで、コネクタはストッパー開口部と本体開口部との重なり範囲を通過して本体内に収納され、本体内に収納されて、コネクタがストッパー傾斜面から離れると、コネクタはストッパー開口部と本体開口部との重なり範囲を通過不可能になって本体に保持される。したがって、作業者は一方の手でコネクタを掴んで押し込むだけで、他方の手による操作を必要としないから、簡素かつ迅速にコネクタを保持することができる。
【図面の簡単な説明】
【００１０】
【図１】本発明の実施の形態１に係るコネクタ保持具を説明するものであって、コネクタを保持した状態を示す斜視図である。
【図２】本発明の実施の形態１に係るコネクタ保持具を説明するものであって、一部（本体）に挿入されるコネクタを示す側面視の断面図である。
【図３】本発明の実施の形態１に係るコネクタ保持具を説明するものであって、（ａ）は一部（本体）を示す平面図、（ｂ）は一部（本体）を示す側面視の断面図である。
【図４】本発明の実施の形態１に係るコネクタ保持具を説明するものであって、（ａ）は一部（ストッパー）を示す平面図、（ｂ）は一部（ストッパー）を示す側面視の断面図である。
【図５】本発明の実施の形態１に係るコネクタ保持具を説明するものであって、初期状態を示す平面図である。
【図６】本発明の実施の形態１に係るコネクタ保持具を説明するものであって、コネクタの保持作業の開始時を示す側面視の断面図である。
【図７】本発明の実施の形態１に係るコネクタ保持具を説明するものであって、コネクタの保持作業の途中を示す側面視の断面図である。
【図８】本発明の実施の形態１に係るコネクタ保持具を説明するものであって、コネクタの保持作業の終了時を示す側面視の断面図である。
【図９】本発明の実施の形態２に係るコネクタ保持具を説明するものであって、（ａ）は一部（本体）に挿入されるコネクタを示す背面図、（ｂ）は一部（本体）に挿入されるコネクタを示す側面視の断面図である。
【図１０】本発明の実施の形態２に係るコネクタ保持具を説明するものであって、（ａ）は一部（ストッパー）を示す平面図、（ｂ）は一部（ストッパー）を示す側面視の断面図である。
【図１１】本発明の実施の形態２に係るコネクタ保持具を説明するものであって、初期状態を示す平面図である。
【図１２】本発明の実施の形態２に係るコネクタ保持具を説明するものであって、コネクタの保持作業の開始時を示す一部を断面にした斜視図である。
【図１３】本発明の実施の形態２に係るコネクタ保持具を説明するものであって、コネクタの保持作業の途中を示す一部を断面にした斜視図である。
【図１４】本発明の実施の形態２に係るコネクタ保持具を説明するものであって、コネクタの保持作業の終了時を示す一部を断面にした斜視図である。
【発明を実施するための形態】
【００１１】
［実施の形態１］
以下、発明を実施するための形態（以下「実施の形態１」と称す）を、図面を参照しつつ説明する。なお、各部位は模式的に描かれているため、本発明は図示された形態に限定されるものではない。また、図面が煩雑にならないよう、一部の符号を記載しない場合がある。
図１〜図４は本発明の実施の形態１に係るコネクタ保持具を説明するものであって、図１はコネクタを保持した状態を示す斜視図、図２は一部（本体）に挿入されるコネクタを示す側面視の断面図、図３の（ａ）は一部（本体）を示す平面図、図３の（ｂ）は一部（本体）を示す側面視の断面図、図４の（ａ）は一部（ストッパー）を示す平面図、図４の（ｂ）は一部（ストッパー）を示す側面視の断面図、図５は初期状態を示す平面図である。
【００１２】
（コネクタ保持具）
図１において、コネクタ保持具１０００は、コネクタ９００を保持するものであって、本体１００とストッパー２００とスプリング材３００とを有している。なお、コネクタ９００にはワイヤハーネスに設けられた圧着端子（図示しない）が挿入される。以下、それぞれについて詳細に説明する。
【００１３】
（コネクタ）
図１および図２において、コネクタ９００は、圧着端子（図示しない）が侵入される圧着端子侵入穴９１０を具備する略直方体状の圧着端子収納部９２０を具備している。圧着端子侵入穴９１０は圧着端子収納部９２０の一方の端面（以下「コネクタ上面」と称す）９０５に開口している。また、コネクタ上面９０５に沿って、圧着端子収納部９２０の一方の側面（以下「コネクタ第１側面」と称す）９０１とコネクタ第１側面９０１に対向した他方の側面（以下「コネクタ第３側面」と称す）９０３との両側に突出した長方形の板状のコネクタ鍔部９４０が形成されている。
そして、以下の説明の便宜上、コネクタ鍔部９４０のコネクタ第１側面９０１側の側面を「コネクタ鍔部第１側面９４１」と、コネクタ鍔部９４０のコネクタ第３側面９０３側の側面を「コネクタ鍔部第３側面９４３」と称す。また、コネクタ鍔部９４０の圧着端子収納部９２０側の面を「コネクタ鍔部下面９６０」と、コネクタ鍔部９４０のコネクタ鍔部下面９６０とは反対の面を「コネクタ鍔部上面９５０」とそれぞれ称す。
さらに、コネクタ鍔部上面９５０のコネクタ第１側面９０１側の縁部（稜線）を「コネクタ上面第１縁部９５１」と、コネクタ上面第１縁部９５１に対向したコネクタ第３側面９０３側の縁部（稜線）を「コネクタ上面第３縁部９５３」と称す。同様に、コネクタ鍔部下面９６０のコネクタ第１側面９０１側の縁部（稜線）を「コネクタ下面第１縁部９６１」と、コネクタ下面第１縁部９６１に対向したコネクタ第３側面９０３側の縁部（稜線）を「コネクタ下面第３縁部９６３」と称す。
【００１４】
なお、以上は、コネクタ９００のコネクタ鍔部上面９５０がコネクタ上面９０５と同一面に形成されているが、本発明はこれに限定するものではない。例えば、コネクタ鍔部９４０がコネクタ上面９０５とコネクタ下面９０６との間に形成されてもよく、また、コネクタ第１側面９０１に形成されたものとコネクタ第３側面９０３に形成されたものとが、同一の仮想面内になくてもよい。
さらに、本発明における本体１００に収納されるコネクタ９００は、コネクタ鍔部９４０を具備するものであるが、本発明はこれに限定するものではなく、コネクタ鍔部９４０を具備しないものや、コネクタ第１側面９０１に垂直な側面にも同様の鍔部を具備するものであってもよい。
そして、コネクタ鍔部９４０を具備しない場合、コネクタ下面９０６とコネクタ第１側面９０１との角部（稜線）をコネクタ下面第１縁部９６１と、コネクタ上面９０５とコネクタ第１側面９０１のとの角部（稜線）をコネクタ上面第１縁部９５１とそれぞれ読み替え、同様に、コネクタ下面９０６とコネクタ第３側面９０３との角部（稜線）をコネクタ下面第３縁部９６３と、コネクタ上面９０５とコネクタ第３側面９０３との角部（稜線）をコネクタ上面第３縁部９５３とそれぞれ読み替える。
【００１５】
（本体）
図１、図３および図５において、本体１００は、コネクタ９００のコネクタ鍔部９４０が通過可能な本体開口部１１０を一方の端面（以下「本体上面」と称す）１０５に具備し、かつ、コネクタ９００のコネクタ鍔部９４０および圧着端子収納部９２０を収納可能な本体収納部１２０が本体開口部１１０に連続して形成された略直方体である。
また、本体上面１０５には、本体開口部１１０を囲むように方形にボルト１３０が立設されている。ボルト１３０はボルト軸部１３１とボルト頭部１３２とを具備している。
そして、以下の説明の便宜上、本体開口部１１０の各隅部にそれぞれ符号「Ａ、Ｂ、Ｃ、Ｄ」を付し、隅部Ａと隅部Ｂとを結ぶ縁を「本体第１縁部１１１」と、隅部Ｂと隅部Ｃとを結ぶ縁を「本体第２縁部１１２」と、隅部Ｃと隅部Ｄとを結ぶ縁を「本体第３縁部１１３」と、隅部Ｄと隅部Ａとを結ぶ縁を「本体第４縁部１１４」とそれぞれ称す。
また、本体１００の側面のうち本体第１縁部１１１に近い側面を「本体第１側面１０１」と称し、本体１００の側面のうち本体第３縁部１１３に近い側面を「本体第３側面１０３」と称す。また、本体上面１０５に対向した端面を「本体下面１０６」と称し、本体上面１０５に対して本体下面１０６とは反対の方向を「上方」と称している。
【００１６】
（ストッパー）
図１、図４および図５において、ストッパー２００は板状のストッパー平面部２２０を具備し、ストッパー平面部２２０には、コネクタ９００のコネクタ鍔部９４０が通過可能なストッパー開口部２１０が設けられている。ストッパー平面部２２０は本体上面１０５に対向して配置され、本体上面１０５に対して平行に移動（摺動）可能になっている。
そして、以下の説明の便宜上、ストッパー平面部２２０の本体１００側の面、すなわち、本体上面１０５に対向する面を「ストッパー下面２０６」と称す。また、ストッパー開口部２１０の各隅部にそれぞれ符号「ａ、ｂ、ｃ、ｄ」を付し、隅部ａと隅部ｂとを結ぶ縁部を「ストッパー第１縁部２１１」と、隅部ｂと隅部ｃとを結ぶ縁部を「ストッパー第２縁部２１２」と、隅部ｃと隅部ｄとを結ぶ縁部を「ストッパー第３縁部２１３」と、隅部ｄと隅部ａとを結ぶ縁部を「ストッパー第４縁部２１４」とそれぞれ称す。さらに、ストッパー平面部２２０の外周面のうちストッパー第３縁部２１３と平行で、ストッパー第３縁部２１３に近い面を「ストッパー第３側面２０３」と称す。なお、本体上面１０５に対して本体下面１０６とは反対の方向を「上方」と称している。
【００１７】
（ストッパー傾斜面）
そして、ストッパー第１縁部２１１には、ストッパー第３縁部２１３に近づく程（ストッパー第３側面２０３に近づく程）、ストッパー下面２０６に近づくように傾斜したストッパー傾斜面２３０が設けられている。
【００１８】
（ストッパー腕）
さらに、ストッパー下面２０６のストッパー第３側面２０３寄りにはストッパー腕２４０が一体的に設けられている。ストッパー腕２４０は、ストッパー下面２０６に対して垂直なストッパー腕垂直部分２４１と、ストッパー下面２０６に対して平行なストッパー腕平行部分２４２とから構成されている。なお、ストッパー腕２４０は、ストッパー第３側面２０３との間に後記するスプリング材３００を配置して、スプリング材３００を弾性変形させるためのものである。
【００１９】
（ストッパー長孔）
さらに、ストッパー開口部２１０を囲むように方形にストッパー長孔２５０が形成されている。ストッパー長孔２５０は、長辺方向２５１（一点鎖線にて示す）がストッパー第１縁部２１１に対して垂直で（ストッパー第２縁部２１２に対して平行に同じ）、ボルト１３０のボルト軸部１３１が貫通可能で、ボルト頭部１３２が貫通不可能な大きさである。
また、ストッパー長孔２５０の周囲には、ストッパー下面２０６に向かって陥没したストッパー座部２６０が形成されている。ストッパー座部２６０は、ストッパー下面２０６に平行な面（以下「ストッパー座面２６１」と称す）を具備し、ボルト頭部１３２の全部または一部が侵入可能な大きさになっている。
したがって、ストッパー２００は、ボルト軸部１３１がストッパー長孔２５０内を移動可能な距離を、本体１００から離脱することなく本体上面１０５に対して平行に移動可能になる。
なお、ストッパー２００は透明な合成樹脂によって形成されているが、本発明はこれに限定するものではなく、不透明であっても、合成樹脂でなくてもよい。また、外郭形状も限定するものではなく、さらに、ストッパー座部２６０を具備しなくてもよい。
【００２０】
（スプリング材）
図１において、スプリング材３００は、直方体状（断面矩形の棒状）に形成された発泡合成樹脂であって、ストッパー腕２４０に抱えられるように配置され、本体上面１０５に対して略平行な方向に付勢する（弾性力を生じる）。このとき、スプリング材３００は本体第３側面１０３およびストッパー腕垂直部分２４１に挟まれ、ストッパー下面２０６およびストッパー腕平行部分２４２には摺動可能に接するか、あるいは隙間を介して配置されている（後記する図６〜図８参照）。
なお、本発明は発泡合成樹脂を限定するものではなく、例えばＥＰＤＥＭ等の合成ゴムやウレタン等が使用可能である。
【００２１】
（コネクタ保持具の初期状態）
図５において、スプリング材３００（図示しない）は初期状態であって、完全に弾性復元して歪みのない状態あるいは所定の歪み量だけ圧縮された状態である。
このとき、ストッパー開口部２１０のストッパー第１縁部２１１は、本体開口部１１０の本体第１縁部１１１よりも本体第３側面１０３寄りに位置し、本体開口部１１０の上方に進出している。また、ストッパー開口部２１０のストッパー第３縁部２１３は、本体開口部１１０の本体第３縁部１１３よりも本体第３側面１０３寄りに位置し、本体開口部１１０の上方から退避している。
したがって、ストッパー開口部２１０と本体開口部１１０とが重なった範囲（以下「初期実質開口部」と称す）４００は、ストッパー第１縁部２１１、本体第２縁部１１２、本体第３縁部１１３および本体第４縁部１１４によって囲まれている。すなわち、ストッパー第１縁部２１１と本体第４縁部１１４との重なり位置を「α」、ストッパー第１縁部２１１と本体第２縁部１１２との重なり位置を「β」とすると、初期実質開口部４００は、位置α、位置β、隅部Ｃおよび隅部Ｄを四隅とする矩形である。このため、コネクタ９００は初期実質開口部４００を通過不可能である。
【００２２】
（コネクタの保持要領）
次に、コネクタ９００を保持する要領を、保持作業の開始時、保持作業の途中および保持作業の終了時のそれぞれに分けて説明する。
図６〜図８は本発明の実施の形態１に係るコネクタ保持具を説明するものであって、図６はコネクタの保持作業の開始時を示す側面視の断面図、図７はコネクタの保持作業の途中を示す側面視の断面図、図８はコネクタの保持作業の終了時を示す側面視の断面図である。
【００２３】
（コネクタの保持作業の開始時）
図６において、コネクタ９００の圧着端子収納部９２０が、ストッパー開口部２１０および本体開口部１１０との重なり範囲である初期実質開口部４００を通過して、本体収納部１２０に侵入している。一方、コネクタ９００のコネクタ鍔部９４０は初期実質開口部４００を貫通不可能で、コネクタ下面第１縁部９６１がストッパー傾斜面２３０に当接している。
そして、引き続いてコネクタ８００が押し込まれると、コネクタ８００を押し込む力（矢印１にて示す）は、コネクタ下面第２縁部８６２とストッパー傾斜面２３０とが当接した位置（摺動する位置に同じ）において、ストッパー２００を本体第１側面１０１の方向に移動させる力（矢印２にて示す）を生じ、これによって、スプリング材３００は圧縮され、ストッパー２００は本体第１側面１０１の方向に移動することになる。
【００２４】
（コネクタの保持作業の途中）
図７において、コネクタ９００は押し込まれている。このとき、ストッパー２００を本体第１側面１０１の方向に移動させる力（矢印２にて示す）によって、スプリング材３００は圧縮され、ストッパー２００は本体第１側面１０１の方向に移動している。
そうすると、ストッパー第１縁部２１１は本体開口部１１０の上方から退避して、本体第１縁部１１１に重なり、一方、ストッパー第３縁部２１３は本体開口部１１０の上方に向かって移動して、本体第３縁部１１３に重なっている。すなわち、ストッパー開口部２１０と本体開口部１１０とが重なった範囲である実質的な開口部は、本体開口部１１０に一致して、本体第１縁部１１１、本体第２縁部１１２、本体第３縁部１１３および本体第４縁部１１４によって形成された隅部Ａ、隅部Ｂ、隅部Ｃおよび隅部Ｄを四隅とする矩形になる
したがって、コネクタ９００のコネクタ鍔部９４０は、コネクタ下面第１縁部９６１がストッパー傾斜面２３０から離れ、コネクタ鍔部第１側面９４１がストッパー第１縁部２１１に摺動しながら本体収納部１２０に侵入して、コネクタ上面第１縁部９５１がストッパー第１縁部２１１（ストッパー傾斜面２３０の末端に同じ）に当接している。また、コネクタ下面第３縁部９６３およびコネクタ鍔部第３側面９４３は、本体開口部１１０を通過して本体収納部１２０に侵入している。
【００２５】
（コネクタの保持作業の終了時）
図８はコネクタの保持作業の終了時を示すものであって、コネクタ９００はさらに押し込まれて、コネクタ上面第１縁部９５１はストッパー傾斜面２３０から外れている。このため、ストッパー２００には、ストッパー２００を移動させる力が作用しなくなり、スプリング材３００は弾性復元して初期状態に戻る。
そうすると、ストッパー２００はスプリング材３００の弾性復元力（矢印３にて示す）によって引っ張られ、本体第３側面１０３の方向に移動するから、ストッパー第１縁部２１１は、本体第１縁部１１１よりも本体第３縁部１１３寄りに進出している。
このため、前記開始時と同様に、実質的な開口部は初期実質開口部４００になり、コネクタ鍔部上面９５０のコネクタ上面第１縁部９５１に近い範囲は、本体開口部１１０の上方に進出したストッパー第１縁部２１１に近い範囲によって拘束され、コネクタ９００は本体１００から抜け出し不可能に保持されることになる。
【００２６】
なお、コネクタ保持具１０００は、ストッパー傾斜面２３０がストッパー第１縁部２１１に設けられ、スプリング材３００に圧縮力が作用するものであるが、本発明はこれに限定するものではない。例えば、ストッパー傾斜面２３０をストッパー第３縁部２１３に設けてスプリング材３００に引っ張り力が作用するようにしてもよい。
このとき、ストッパー傾斜面２３０にコネクタ９００のコネクタ鍔部第３側面９４３側の一部が当接しない間は、ストッパー第３縁部２１３は本体第３縁部１１３に対して本体第１縁部１１１の方向に進出し、一方、ストッパー傾斜面２３０にコネクタ鍔部第３側面９４３側の一部が当接した際、スプリング材３００は引っ張られ、ストッパー傾斜面２３０が設けられているストッパー第３縁部２１３は、本体第３縁部１１３と重なる方向、すなわち、本体第３側面１０３の方向に退避することになる。
【００２７】
（作用効果）
以上のように、コネクタ９００を本体１００に向けて押し込むだけで、ストッパー２００が往復移動をするため、コネクタ９００の本体収納部１２０への侵入が可能になると共に、侵入したコネクタ９００は本体収納部１２０に抜け出し不可能に保持される。このとき、作業者は一方の手でコネクタ９００を掴んで押し込むだけで、他方の手による操作を必要としないから、簡素かつ迅速にコネクタを保持することができる。
【００２８】
［実施の形態２］
以下、発明を実施するための形態（以下「実施の形態２」と称す）を、図面を参照しつつ説明する。なお、実施の形態１と同じ部位または相当する部位については同じ名称および同じ符号を付し、一部の説明を省略する。
【００２９】
（コネクタ保持具）
図９〜図１１は本発明の実施の形態２に係るコネクタ保持具を説明するものであって、図９の（ａ）は一部（本体）に挿入されるコネクタを示す背面図、図９の（ｂ）は一部（本体）に挿入されるコネクタを示す側面視の断面図、図１０の（ａ）は一部（ストッパー）を示す平面図、図１０の（ｂ）は一部（ストッパー）を示す正面視の断面図、図１１は初期状態を示す平面図である。
図９〜図１２において、コネクタ保持具２０００は、本体１００とストッパー５００とスプリング材３００とから構成され、本体１００にはコネクタ８００が挿入される。本体１００とスプリング材３００とは実施の形態１において説明したコネクタ保持具１０００におけるものであるから、説明を省略し、以下、コネクタ８００とストッパー５００について説明する。
【００３０】
（コネクタ）
図９において、コネクタ８００は、圧着端子（図示しない）が侵入される圧着端子侵入穴８１０が形成された略直方体状の圧着端子収納部８２０を具備している。圧着端子侵入穴８１０は圧着端子収納部８２０の一方の端面（以下「コネクタ上面」と称す）８０５に開口している。
また、圧着端子収納部８２０は、一方の側面（以下「コネクタ第１側面」と称す）８０１にコネクタ第１突起部８４１が設けられ、コネクタ第１側面８０１に対向した他方の側面（以下「コネクタ第３側面」と称す）８０３にコネクタ第３突起部８４３が設けられている。なお、本発明は、コネクタ第１突起部８４１およびコネクタ第３突起部８４３の形状を限定するものではなく、コネクタ第１突起部８４１およびコネクタ第３突起部８４３の一方または両方を具備しないものであってもよい。
【００３１】
なお、コネクタ第１側面８０１に垂直な側面である「コネクタ第２側面８０２」および「コネクタ第４側面８０４」は何れも突起物のない平面である。また、コネクタ上面８０５に対向した面を「コネクタ下面８０６」と称す。
そして、以下の説明の便宜上、コネクタ上面８０５とコネクタ第２側面８０２との縁部（稜線）を「コネクタ上面第２縁部８５２」と、コネクタ上面８０５とコネクタ第４側面８０４との縁分（稜線）を「コネクタ上面第４縁部８５４」と、コネクタ下面８０６とコネクタ第２側面８０２との縁部（稜線）を「コネクタ下面第２縁部８６２」と、コネクタ下面８０６とコネクタ第４側面８０４との縁部（稜線）を「コネクタ下面第４縁部８６４」とそれぞれ称す。
【００３２】
（ストッパー）
図１０において、ストッパー５００は、ストッパー２００（実施の形態１）においてストッパー第１縁部２１１に形成されていたストッパー傾斜面２３０を撤去して、ストッパー第２縁部２１２にストッパー傾斜面５３０を設けたものに相当している。すなわち、ストッパー傾斜面５３０は、ストッパー第４縁部２１４に近づく程、ストッパー下面２０６に近づくように傾斜している。
また、ストッパー開口部２１０を囲むように方形にストッパー長孔５５０が形成されている。ストッパー長孔５５０は、ボルト軸部１３１が貫通可能で、ボルト頭部１３２が貫通不可能な大きさであって、長辺方向５５１（一点鎖線にて示す）がストッパー第１縁部２１１に対して傾斜し、一方の円弧部（短辺）の一部がストッパー開口部２１０に連なっている。
したがって、ストッパー５００は、ボルト軸部１３１がストッパー長孔５５０内を移動可能な距離を、本体１００から離脱することなく本体上面１０５に対して平行に、かつ長辺方向５５１に移動可能になっている。
【００３３】
なお、ストッパー５００は透明な合成樹脂によって形成されているが、本発明はこれに限定するものではなく、不透明であっても、合成樹脂でなくてもよい。また、外郭形状も限定するものではない。さらに、ストッパー２００に準じて、ストッパー長孔５５０の周囲にストッパー座部を設けてもよい。
【００３４】
（コネクタ保持具の初期状態）
図１１において、スプリング材３００（図示しない）は初期状態であって、完全に弾性復元して歪みのない状態あるいは所定の歪み量だけ圧縮されている。
このとき、ストッパー開口部２１０のストッパー第２縁部２１２は、本体開口部１１０の本体第２縁部１１２よりも本体第４縁部１１４寄りに位置し、本体開口部１１０の上方に進出している。一方、ストッパー開口部２１０のストッパー第１縁部２１１、ストッパー第３縁部２１３およびストッパー第４縁部２１４は、何れも本体開口部１１０の上方から退避している。
したがって、ストッパー開口部２１０と本体開口部１１０とが重なった範囲である初期実質開口部４００は、本体第１縁部１１１、ストッパー第２縁部２１２、本体第３縁部１１３および本体第４縁部１１４によって囲まれている。すなわち、ストッパー第１縁部２１１と本体第２縁部１１２との重なり位置を「β」、ストッパー第２縁部２１２と本体第３縁部１１３との重なり位置を「γ」とすると、初期実質開口部４００は、隅部Ａ、位置β、位置γおよび隅部Ｄを四隅とする矩形である。このため、コネクタ８００は初期実質開口部４００を通過不可能である。
【００３５】
（コネクタの保持作業）
次に、コネクタ８００を保持する要領を、開始時、途中および終了時のそれぞれに分けて説明する。
図１２〜図１４は本発明の実施の形態２に係るコネクタ保持具を説明するものであって、図１２はコネクタの保持作業の開始時を示す一部を断面にした斜視図、図１３はコネクタの保持作業の途中を示す一部を断面にした斜視図、図１４はコネクタの保持作業の終了時を示す一部を断面にした斜視図である。
【００３６】
（コネクタの保持作業の開始時）
図１２において、コネクタ８００のコネクタ下面８０６が、初期実質開口部４００（図示しない。図１１参照）の上方に配置されている。すなわち、前記初期状態において、コネクタ下面第２縁部８６２がストッパー開口部２１０を形成するストッパー傾斜面５３０に当接し、コネクタ下面第４縁部８６４が本体開口部１１０を形成する本体第４縁部１１４の直上に位置している。
このとき、スプリング材３００（図示しない）は初期状態であって、完全に弾性復元して歪みのない状態あるいは所定の歪み量だけ圧縮された状態である。
そして、ストッパー開口部２１０のストッパー第２縁部２１２は本体開口部１１０の本体第２縁部１１２よりも本体第４縁部１１４寄りに位置し、本体開口部１１０の上方に進出している。
【００３７】
そのため、コネクタ下面第２縁部８６２がストッパー傾斜面５３０に当接して、コネクタ下面８０６は初期実質開口部４００を貫通不可能になっている。
なお、以上は、コネクタ下面第４縁部８６４が本体第４縁部１１４の直上に位置しているが、コネクタ下面８０６が本体上面１０５に対して傾斜して、コネクタ下面第４縁部８６４が本体開口部１１０に侵入し、コネクタ第４側面８０４が本体第４縁部１１４に当接する場合もある。
そして、引き続いてコネクタ８００が押し込まれると、コネクタ８００を押し込む力（矢印４にて示す）は、コネクタ下面第２縁部８６２とストッパー傾斜面５３０とが当接した位置（摺動する位置に同じ）において、ストッパー５００を本体第２側面１０２の方向に移動させる力（矢印５にて示す）を生じる。そうすると、ストッパー５００は本体第２側面１０２の方向に移動しようとするものの、ストッパー５００はストッパー長孔５５０を貫通しているボルト１３０によって移動方向が規制されているため、長辺方向５５１に移動することになる。このとき、スプリング材３００（図示しない）は圧縮される。
【００３８】
（コネクタの保持作業の途中）
図１３において、コネクタ８００は押し込まれている。このとき、ストッパー５００を本体第２側面１０２の方向に移動させる力（矢印５にて示す）によって、スプリング材３００は圧縮され、ストッパー５００は長辺方向５５１に移動している。
そうすると、ストッパー第２縁部２１２は本体開口部１１０の上方から退避して、本体第２縁部１１２に重なり、ストッパー開口部２１０と本体開口部１１０との実質的な重なり範囲は、本体開口部１１０に一致する。そのため、コネクタ８００のコネクタ下面第２縁部８６２はストッパー傾斜面５３０から外れ、コネクタ第２側面８０２が本体第２縁部１１２に摺動しながら本体収納部１２０内に侵入している。
このとき、コネクタ上面８０５がストッパー開口部２１０に到達し、コネクタ上面第２縁部８５２はストッパー第２縁部２１２（ストッパー傾斜面５３０の末端に同じ）に当接している。
【００３９】
（コネクタの保持作業の終了時）
図１４はコネクタの保持作業の終了時を示すものであって、コネクタ８００はさらに押し込まれて、コネクタ上面第２縁部８５２はストッパー傾斜面５３０から外れている。このため、ストッパー５００には、ストッパー５００を移動させる力が作用しなくなり、スプリング材３００（図示しない）は弾性復元して初期状態に戻る。
そうすると、ストッパー５００はスプリング材３００の弾性復元力（図８に示す矢印３参照）によって引っ張られ、長辺方向５５１に移動して、初期状態に復帰する。すなわち、ストッパー第２縁部２１２は本体開口部１１０の上方に進出して、本体第２縁部１１２（図５等参照）に対して本体第４側面１０４寄りに進出している。
このため、コネクタ上面第２縁部８５２に近い範囲は、本体開口部１１０の上方に進出したストッパー第２縁部２１２に近い範囲によって拘束され、コネクタ８００は本体１００から抜け出し不可能に保持される。
【００４０】
なお、コネクタ保持具２０００は、ストッパー傾斜面５３０をストッパー第２縁部２１２に設けてスプリング材３００に圧縮力が作用するものであるが、本発明はこれに限定するものではない。例えば、ストッパー傾斜面５３０をストッパー第４縁部２１４に設けてスプリング材３００に引っ張り力が作用するようにしてもよい。
このとき、ストッパー傾斜面５３０にコネクタ８００のコネクタ下面第４縁部８６４が当接していない間は、ストッパー第４縁部２１４は初期実質開口部４００の上方（本体第４縁部１１４から本体第２縁部１１２（図５等参照）の方向）に進出し、ストッパー傾斜面５３０にコネクタ下面第４縁部８６４が当接した際に、初期実質開口部４００（図５等参照）の上方から退避することになる。
【００４１】
（作用効果）
以上のように、実施の形態１と同様に、コネクタ８００を本体１００に向けて押し込むだけで、コネクタ８００の本体収納部１２０への侵入が可能になると共に、侵入したコネクタ８００は本体収納部１２０に抜け出し不可能に保持される。このとき、作業者は一方の手でコネクタ８００を掴んで押し込むだけで、他方の手による操作を必要としないから、簡素かつ迅速にコネクタを保持することができる。
【００４２】
以上、本発明を実施の形態１および実施の形態２をもとに説明した。この実施の形態１および実施の形態２は例示であり、それらの各構成要素及びその組合せにいろいろな変形例が可能なこと、またそうした変形例も本発明の範囲にあることは当業者に理解されるところである。
【産業上の利用可能性】
【００４３】
以上のように、本発明に係るコネクタ保持具は、片方の手による操作で簡素かつ迅速にコネクタを保持することができるから、各種ワイヤハーネスの製造工程におけると同様に、ワイヤハーネスの製造工程以外の場所においても、各種コネクタを保持するためのコネクタ保持具として広く利用することができる。
【符号の説明】
【００４４】
１００：本体
１０１：本体第１側面
１０２：本体第２側面
１０３：本体第３側面
１０４：本体第４側面
１０５：本体上面
１０６：本体下面
１１０：本体開口部
１１１：本体第１縁部
１１２：本体第２縁部
１１３：本体第３縁部
１１４：本体第４縁部
１２０：本体収納部
１３０：ボルト
１３１：ボルト軸部
１３２：ボルト頭部
２００：ストッパー（実施の形態１）
２０３：ストッパー第３側面
２０６：ストッパー下面
２１０：ストッパー開口部
２１１：ストッパー第１縁部
２１２：ストッパー第２縁部
２１３：ストッパー第３縁部
２１４：ストッパー第４縁部
２２０：ストッパー平面部
２３０：ストッパー傾斜面
２４０：ストッパー腕
２４１：ストッパー腕垂直部分
２４２：ストッパー腕平行部分
２５０：ストッパー長孔
２５１：長辺方向
２６０：ストッパー座部
２６１：ストッパー座面
３００：スプリング材
４００：初期実質開口部
５００：ストッパー（実施の形態２）
５３０：ストッパー傾斜面
５５０：ストッパー長孔
５５１：長辺方向
８００：コネクタ（実施の形態２）
８０１：コネクタ第１側面
８０２：コネクタ第２側面
８０３：コネクタ第３側面
８０４：コネクタ第４側面
８０５：コネクタ上面
８０６：コネクタ下面
８１０：圧着端子侵入穴
８２０：圧着端子収納部
８４１：コネクタ第１突起部
８４３：コネクタ第３突起部
８５２：コネクタ上面第２縁部
８５４：コネクタ上面第４縁部
８６２：コネクタ下面第２縁部
８６４：コネクタ下面第４縁部
９００：コネクタ（実施の形態１）
９０１：コネクタ第１側面
９０３：コネクタ第３側面
９０５：コネクタ上面
９０６：コネクタ下面
９１０：圧着端子侵入穴
９２０：圧着端子収納部
９４０：コネクタ鍔部
９４１：コネクタ鍔部第１側面
９４３：コネクタ鍔部第３側面
９５０：コネクタ鍔部上面
９５１：コネクタ上面第１縁部
９５３：コネクタ上面第３縁部
９６０：コネクタ鍔部下面
９６１：コネクタ下面第１縁部
９６３：コネクタ下面第３縁部
１０００：コネクタ保持具（実施の形態１）
２０００：コネクタ保持具（実施の形態２）
Ａ：本体開口部の隅部
Ｂ：本体開口部の隅部
Ｃ：本体開口部の隅部
Ｄ：本体開口部の隅部
ａ：ストッパー開口部の隅部
ｂ：ストッパー開口部の隅部
ｃ：ストッパー開口部の隅部
ｄ：ストッパー開口部の隅部
【図１】
0006634305.tif 000002
【図２】
0006634305.tif 000003
【図３】
0006634305.tif 000004
【図４】
0006634305.tif 000005
【図５】
0006634305.tif 000006
【図６】
0006634305.tif 000007
【図７】
0006634305.tif 000008
【図８】
0006634305.tif 000009
【図９】
0006634305.tif 000010
【図１０】
0006634305.tif 000011
【図１１】
0006634305.tif 000012
【図１２】
0006634305.tif 000013
【図１３】
0006634305.tif 000014
【図１４】
0006634305.tif 000015